(57)【特許請求の範囲】
【請求項１】
絶縁ハウジングに対して信号伝送媒体が挿入され又は抜去されるものであって、
前記絶縁ハウジングに取り付けられたコンタクト部材と、そのコンタクト部材に接触するように配置されたカム部材と、を備え、
前記絶縁ハウジングの内部に挿入された信号伝送媒体に対して、前記カム部材が初期位置から作用位置まで回動されることによって、前記コンタクト部材が前記信号伝送媒体を挟持するように揺動される構成になされた電気コネクタにおいて、
前記カム部材は、前記コンタクト部材に面接触して当該カム部材を前記初期位置に保持するカム保持面と、そのカム保持面から連続するように延在し、前記初期位置において前記コンタクト部材に対して非接触状態で対向するように配置される回動許容面と、を有し、
前記カム部材が前記初期位置にあるときの前記カム保持面は、前記カム部材における回動の仮想中心から前記コンタクト部材に至る距離を表す線分に対して、前記信号伝送媒体が挿入される方向及び抜去される方向の両側に延在していることを特徴とする電気コネクタ。
【請求項２】
前記回動許容面は、前記カム部材の回動方向において前記カム保持面の上流側に、前記コンタクト部材との間に隙間を形成するように略平行な対向配置関係になされていることを特徴とする請求項１記載の電気コネクタ。
【請求項３】
前記コンタクト部材は、前記初期位置において前記カム部材のカム保持面及び回動許容面と対向する部位が、略直線状に延在する端縁部をなすように形成されていることを特徴とする請求項１記載の電気コネクタ。
【請求項４】
前記カム部材の回動方向において前記回動許容面の上流側に、カム機能を有するカム作用面が連続するように設けられたものであって、
前記カム作用面は、前記カム部材が前記初期位置から前記作用位置に向かって所定の回動角度にわたって回動した後に前記コンタクト部材に接触する配置関係になされていることを特徴とする請求項１記載の電気コネクタ。
【請求項５】
前記カム保持面は、前記初期位置において当該カム保持面及び前記回動許容面が前記コンタクト部材に対向している長さの１／２以下の長さにわたって延在していることを特徴とする請求項１記載の電気コネクタ。
【請求項６】
前記カム保持面は、前記カム部材の前記初期位置における回動の仮想中心から前記コンタクト部材に至る距離を表す線分に対して、前記信号伝送媒体が挿入される方向及び抜去される方向の両側に、互いに略等しい長さにわたって延在していることを特徴とする請求項１記載の電気コネクタ。
【請求項７】
前記コンタクト部材は、前記カム保持面に対応して略平面状に延在するカム規制部を備えていることを特徴とする請求項１記載の電気コネクタ。
【発明の詳細な説明】
【技術分野】
【０００１】
本発明は、カム部材の回動によりコンタクト部材が信号伝送媒体に接続・離間するように構成された電気コネクタに関する。
【背景技術】
【０００２】
一般に、種々の電気機器等において、フレキシブル・プリンテッド・サーキット（ＦＰＣ）や、フレキシブル・フラット・ケーブル（ＦＦＣ）等の各種信号伝送媒体を電気的に接続するための手段として種々の電気コネクタが広く用いられている。例えば、下記の特許文献１等のように印刷配線基板上に実装されて使用される電気コネクタにおいては、上述したＦＰＣやＦＦＣ等からなる信号伝送媒体が、絶縁ハウジング（インシュレータ）の開口部を通して内部に挿入され、当該挿入の時点において信号伝送媒体を開放状態とする「初期位置（開放位置）」に保持されているアクチュエータ（接続操作手段）が、作業者の操作力によって電気コネクタの前方側又は後方側の「作用位置（閉塞位置）」に向かって押し倒されるように回動される構成になされている。
【０００３】
そして、上述したアクチュエータ（接続操作手段）が信号伝送媒体を挟持する「作用位置（閉塞位置）」まで回動操作されると、当該アクチュエータと一体的に回動するカム部材がコンタクト部材の一端側部分を押し上げるように作用し、それによってコンタクト部材が揺動することで、当該コンタクト部材の他端側の部分に設けられた接点部が、信号伝送媒体（ＦＰＣ，ＦＦＣ等）に圧接して電気的な接続が行われると同時に、信号伝送媒体が固定状態になされる。一方、このような「作用位置（閉塞位置）」にあるアクチュエータが、元の「初期位置（開放位置）」に向かって上方に起こされるように回動操作が行われると、コンタクト部材に対するカム部材の押圧力が解除されていき、当該コンタクト部材は、自身の弾性復元力によって信号伝送媒体（ＦＰＣ，ＦＦＣ等）から離間する方向に揺動し、その結果、信号伝送媒体が開放状態になされることで当該信号伝送媒体の抜去が可能となる。
【０００４】
このようなコンタクト部材に揺動を行わせるカム部材は、例えば断面形状が略楕円をなすように形成されており、コンタクト部材を構成している一対のビーム同士の間において径変化を行うように回動される構成になされたものであるが、本出願人は、例えば下記の特許文献４において、カム部材が回動を開始してから終了するまでの間に一対のビーム同士の間からカム部材が脱落することのないように保持するための発明を既に提案している。当該提案発明によれば、コンタクト部材の一端部分に、信号伝送媒体の挿入方向にカム部材と対向するカム係止突起が設けられており、外力等が付加された場合などにカム部材がコンタクト部材から外れる方向に付勢された場合であっても、カム部材の一部がカム係止突起に当接してコネクタ外方にカム部材が脱落することのないように係止される構成が採用されている。
【０００５】
このような特許文献４等の先行提案発明によれば、カム部材の保持性が向上されて脱落防止の効果を得ることができるが、カム部材の保持性を高くし過ぎた場合にあっては、アクチュエータ（接続操作手段）の初期段階における回動を開始させるための操作力、特に「初期位置（開放位置）」において立ち上がるように保持されているアクチュエータを「作用位置（閉塞位置）」に向かって押し倒す方向に回動を開始させる操作力が大きくなる。このようなカム部材の初期回動操作において必要とされる操作力は、出来るだけ軽減させておいた方が生産性の観点からは好ましいこととなる。
【先行技術文献】
【特許文献】
【０００６】
【特許文献１】特開２００８−３００３７３号公報
【特許文献２】特開２００８−００４４０４号公報
【特許文献３】特開２００８−１９２４０８号公報
【特許文献４】特開２０１３−５４８８１号公報
【発明の開示】
【発明が解決しようとする課題】
【０００７】
そこで本発明は、簡易な構成で、回動操作前におけるカム部材の保持性を良好に確保しつつ、当該カム部材の回動操作を開始する際に必要な操作力を軽減させることができるようにした電気コネクタを提供することを目的とする。
【課題を解決するための手段】
【０００８】
上記目的を達成するため請求項１記載の発明では、絶縁ハウジングに対して信号伝送媒体が挿入され又は抜去されるものであって、前記絶縁ハウジング取り付けられたコンタクト部材と、そのコンタクト部材に接触するように配置されたカム部材とを備え、前記絶縁ハウジングの内部に挿入された信号伝送媒体に対して、前記カム部材が初期位置から作用位置まで回動されることによって、前記コンタクト部材が前記信号伝送媒体を挟持するように揺動される構成になされた電気コネクタにおいて、前記カム部材は、前記コンタクト部材に面接触して当該カム部材を前記初期位置に保持するカム保持面と、そのカム保持面から連続するように延在し、前記初期位置において前記コンタクト部材に対して非接触状態で対向するように配置される回動許容面とを有し、前記カム部材が前記初期位置にあるときの前記カム保持面は、前記カム部材における回動の仮想中心から前記コンタクト部材に至る距離を表す線分に対して、前記信号伝送媒体が挿入される方向及び抜去される方向の両側に延在する構成が採用されている。
【０００９】
このような請求項１にかかる発明によれば、カム部材が初期位置（開放位置）にある際に、当該カム部材のカム保持面がコンタクト部材に接触状態になされ、それによってカム部材が初期位置（開放位置）に安定的に保持される。また、その初期位置（開放位置）にあるカム部材が回動を開始した直後にあっては、当該カム部材のカム保持面に連続する回動許容面がコンタクト部材に対して非接触状態となっており、その回動許容面とコンタクト部材との間に隙間が形成されていることによって、初期状態（開放状態）のカム部材を回動開始させるに必要とされる回動操作力が低減され、カム部材の初期回動が容易に行われる。また、その初期回動が行われた後のカム部材を、コンタクト部材に対して滑らかに接触させることが可能となり、それによってカム部材の回動開始時における削れや損傷の発生のおそれが低減される。さらに、回動の仮想中心の両側に延在するカム保持面によってカム部材の姿勢保持作用が安定的に得られる。
【００１０】
このとき、本発明においては、請求項２のように前記回動許容面は、前記カム部材の回動方向において前記カム保持面の上流側に、前記コンタクト部材との間に隙間を形成するように略平行な対向配置関係になされていることが望ましい。
【００１１】
また、請求項３のように、前記コンタクト部材は、前記初期位置において前記カム部材のカム保持面及び回動許容面と対向する部位が、略直線状に延在する端縁部をなすように形成されていることが望ましい。
【００１２】
さらに、請求項４のように、前記カム部材の回動方向において前記回動許容面の上流側に、カム機能を有するカム作用面が連続するように設けられたものであって、前記カム作用面は、前記カム部材が前記初期位置から前記作用位置に向かって所定の回動角度にわたって回動した後に前記コンタクト部材に接触する配置関係になされていることが望ましい。
【００１３】
このような請求項２乃至４記載の構成を有する発明によれば、カム部材の初期回動が容易に行われた後に、当該カム部材のカム作用面によるカム機能が円滑に開始される。
【００１４】
さらにまた、請求項５のように前記カム保持面は、前記初期位置において当該カム保持面及び前記回動許容面が前記コンタクト部材に対向している長さの１／２以下の長さにわたって延在していることが望ましい。
【００１５】
また、請求項６のように前記カム保持面は、前記カム部材の前記初期位置における回動の仮想中心から前記コンタクト部材に至る距離を表す線分に対して、前記信号伝送媒体が挿入される方向及び抜去される方向の両側に、互いに略等しい長さにわたって延在していることが望ましい。
【００１６】
このような請求項５及び請求項６記載の構成を有する本発明によれば、カム保持面によるカム部材の姿勢保持作用が、カム部材の回動方向において略均等に得られることとなり、初期の回動操作が円滑に開始される。
【００１７】
さらに、請求項７のように前記コンタクト部材は、前記カム保持面に対応して略平面状に延在するカム規制部を備えていることが望ましい。
【００１８】
このような請求項７記載の構成を有する本発明によれば、カム部材のカム保持面が、コンタクト部材のカム規制面に対して安定的な接触状態になされることから、カム部材の初期位置における保持作用が確実に得られる。
【発明の効果】
【００１９】
以上述べたように本発明にかかる電気コネクタは、絶縁ハウジングに取り付けられたコンタクト部材に接触するように配置されたカム部材に、コンタクト部材に面接触して当該カム部材を初期位置（開放位置）に保持するカム保持面と、そのカム保持面から連続するように延在してコンタクト部材と非接触状態で対向するように配置される回動許容面とを設け、カム部材の回動中心の両側にカム保持面を延在させた構成とすることで、カム部材が初期位置にある際には、カム保持面によってカム部材を初期位置に安定的に保持させる一方、その初期位置にあるカム部材のカム保持面に連続する回動許容面とコンタクト部材との間に隙間を形成することによって、初期状態のカム部材を回動開始させるに必要とされる回動操作力を低減させるとともに、コンタクト部材に対して滑らかにカム部材を接触させることを可能としてカム部材の削れや損傷の発生のおそれを低減させる構成を採用したものであるから、簡易な構成で、回動操作前におけるカム部材の保持性を良好に確保しつつ、当該カム部材の回動操作を開始する際に必要な操作力を軽減させることができ、電気コネクタの品質及び信頼性を低廉かつ大幅に向上させることができる。
【図面の簡単な説明】
【００２０】
【図１】本発明の一実施形態にかかる電気コネクタを表したものであって、アクチュエータが初期位置（開放位置）に立てられた状態において信号伝送媒体が未挿入の状態の全体構成を前方側から表した外観斜視説明図である。
【図２】図１に示された初期位置（開放位置）にある電気コネクタを後方側から見たときの外観斜視説明図である。
【図３】図１に示された初期位置（開放位置）にある電気コネクタのアクチュエータを作用位置（閉塞位置）まで押し倒すように回動した状態の全体構成を前方側から表した外観斜視説明図である。
【図４】図１及び図２に示された開放状態にある電気コネクタを前方側から見たときの正面説明図である。
【図５】図４中の V - V 線に沿った縦断面説明図である。
【図６】図５に示されたカム部材及びその周辺部位を拡大して表した部分縦断面説明図である。
【図７】初期位置（開放位置）にある電気コネクタのアクチュエータを作用位置（閉塞位置）まで押し倒すように回動した状態の図５相当の縦断面説明図である。
【図８】図７に示されたカム部材及びその周辺部位を拡大して表した部分縦断面説明図である。
【図９】初期位置（開放位置）にある電気コネクタのアクチュエータに操作力を付加して回動を開始させた状態の図５相当の縦断面説明図である。
【図１０】図９に示されたカム部材及びその周辺部位を拡大して表した部分縦断面説明図である。
【図１１】図１〜図１０に表された電気コネクタに挿入される信号伝送媒体の端末部分を表した外観斜視説明図である。
【発明を実施するための形態】
【００２１】
以下において、フレキシブル・プリンテッド・サーキット（ＦＰＣ）やフレキシブル・フラット・ケーブル（ＦＦＣ）等からなる信号伝送媒体の接続を行うために配線基板上に実装して使用される電気コネクタに本発明を適用した実施の形態を図面に基づいて詳細に説明する。
【００２２】
［全体構成について］
すなわち、図１〜図１０に示されている本発明の一実施形態にかかる電気コネクタ１０は、絶縁ハウジング１１の後端縁部分（図５の右端縁部分）に、接続操作手段としてのアクチュエータ１２を備えた、いわゆるバックフリップ型構造を有するものであって、上述したアクチュエータ１２は、信号伝送媒体（ＦＰＣ又はＦＦＣ等）Ｆの端末部分を挿入するコネクタ前端側（図５の左端側）とは反対側のコネクタ後方側（図５の右方側）に向かって押し倒されるように回動される構成になされている。
【００２３】
このとき、前記絶縁ハウジング１１は、細長状に延在する中空枠体状の絶縁部材から形成されているが、その絶縁ハウジング１１における長手方向を、以下において「コネクタ長手方向」と呼ぶこととするが、信号伝送媒体（ＦＰＣ又はＦＦＣ等）Ｆの端末部分を挿入させる「コネクタ前方」から「コネクタ後方」に向かう方向を「媒体挿入方向」と呼び、信号伝送媒体（ＦＰＣ又はＦＦＣ等）Ｆの端末部分を抜去させる「コネクタ後方」から「コネクタ前方」に向かう方向を「媒体抜去方向」と呼ぶこととする。
【００２４】
その絶縁ハウジング１１の内部には、適宜の形状をなす薄板状金属製部材により形成された２種類の異なる形状を有するコンタクト部材として、複数体の導電コンタクト１３，１４が装着されている。それらの導電コンタクト１３，１４は、絶縁ハウジング１１の内部においてコネクタ長手方向に沿って適宜の間隔をなして、いわゆる多極状をなすように配置されており、異なる形状を有する一方側の導電コンタクト１３と他方側の導電コンタクト１４とが、多極配列の方向であるコネクタ長手方向に交互に配列されている。これらの導電コンタクト１３，１４の各々は、信号伝送用又はグランド接続用のいずれかとして、主印刷配線基板（図示省略）上に形成された導電路（図示省略）に対して半田接合により実装された状態で使用されるようになっている。
【００２５】
また、前記絶縁ハウジング１１の前端縁部分（図５の左端縁部分）には、上述したようにフレキシブル・プリンテッド・サーキット（ＦＰＣ）やフレキシブル・フラット・ケーブル（ＦＦＣ）等からなる信号伝送媒体Ｆの端末部分が挿入される媒体挿入口１１ａが、コネクタ長手方向に細長状の開口をなすように設けられているとともに、その反対側のコネクタ前後方向の後端縁部分（図５の右端縁部分）には、上述した一方側の導電コンタクト１３やアクチュエータ（接続操作手段）１２等を装着するための部品取付口１１ｂが、同じく細長状に延在するように設けられている。
【００２６】
［導電コンタクトについて］
このとき、上述した一方側の導電コンタクト（コンタクト部材）１３は、絶縁ハウジング１１のコネクタ後端側に設けられた部品取付口１１ｂから前方側（図５の左方側）に向かって挿入されて装着されているが、他方側の導電コンタクト（コンタクト部材）１４は、絶縁ハウジング１１のコネクタ前端側に設けられた媒体挿入口１１ａから後方側（図５の右方側）に向かって挿入されることにより装着されている。このようにして絶縁ハウジング１１の内部に、コネクタ長手方向において千鳥配列状をなすように装着された各導電コンタクト１３，１４の各接触凸部１３ａ１，１３ｂ１は、媒体挿入口１１ａを通して絶縁ハウジング１１の内部に挿入された信号伝送媒体（ＦＰＣ又はＦＦＣ等）Ｆの配線パターンＦａ（図１１参照）に対応した位置に配置されている。それらの信号伝送媒体Ｆに形成された配線パターンＦａは、信号伝送用導電路（信号線パッド）又はシールド用導電路（シールド線パッド）を適宜のピッチ間隔で配置したものである。
【００２７】
なお、これらの導電コンタクト１３，１４は、上述したように互いに異なる形状を有するものであるが、後述する本発明の要部について両導電コンタクト１３，１４は、同様の構成になされていることから、一方の導電コンタクト１３についてのみの説明を行うこととし、他方の導電コンタクト１４については説明を省略することとする。
【００２８】
すなわち、上述した各導電コンタクト（コンタクト部材）１３は、信号伝送媒体Ｆの挿脱方向（図５の左右方向）であるコネクタ前後方向に沿って略平行に延在する一対の細長状ビーム部材からなる可動コンタクトビーム（第２のコンタクトビーム）１３ａ及び固定コンタクトビーム（第１のコンタクトビーム）１３ｂをそれぞれ有している。これらの可動コンタクトビーム１３ａ及び固定コンタクトビーム１３ｂは、上述した絶縁ハウジング１１の内部空間において図示上下方向に適宜の間隔をなして互いに対向するように配置されている。そのうちの固定コンタクトビーム１３ｂは、前記絶縁ハウジング１１の底面板の内壁面に沿って略不動状態となるように固定されているとともに、その固定コンタクトビーム１３ｂの図示上方位置に略平行に延在する可動コンタクトビーム１３ａが、連結支柱ビーム１３ｃを介して固定コンタクトビーム１３ｂに一体的に連結されている。
【００２９】
連結支柱ビーム１３ｃは、細幅の板状部材から形成されており、前記両コンタクトビーム１３ａ及び１３ｂの延在方向における途中位置（略中央位置）において図示上下方向に延在するように配置されている。そして、その連結支柱ビーム１３ｃの図示上端部分に連結された可動コンタクトビーム１３ａは、前記連結支柱ビーム１３ｃの弾性可撓性に基づいて、上述した固定コンタクトビーム１３ｂに対して弾性変位可能となるように構成されており、各可動コンタクトビーム１３ａが、連結支柱ビーム１３ｃの全体を撓ませるようにして揺動可能となるように構成されている。そのときの可動コンタクトビーム１３ａの揺動は、図５の紙面内において上下の方向に行われることとなる。
【００３０】
また、上述した可動コンタクトビーム（第２のコンタクトビーム）１３ａの前端側部分（図５の左端側部分）には、信号伝送媒体（ＦＰＣ又はＦＦＣ等）Ｆの図示上面側に形成された配線パターン（信号伝送用又はシールド用の導電路）Ｆａのいずれかに接続される上端子接触凸部１３ａ１が図示下向きの突形状をなすように設けられている。
【００３１】
一方、固定コンタクトビーム（第１のコンタクトビーム）１３ｂは、前述したように絶縁ハウジング１１の底面板の内壁面に沿って前後方向に延在するように配置されているが、それらの固定コンタクトビーム１３ｂにおける前方側部分（図５の左方側部分）には、信号伝送媒体（ＦＰＣ又はＦＦＣ等）Ｆの図示下面側に形成された配線パターン（図示されない信号伝送用又はシールド用の導電路）Ｆａのいずれかに接続される下端子接触凸部１３ｂ１が図示上向きの突形状をなすように設けられている。これらの下端子接触凸部１３ｂ１は、上述した可動コンタクトビーム１３ａ側の上端子接触凸部１３ａ１の図示直下位置に対面するように配置されており、それらの上端子接触凸部１３ａ１と下端子接触凸部１３ｂ１との間に信号伝送媒体Ｆが挟持される構成になされている。
【００３２】
なお、これらの可動コンタクトビーム１３ａの上端子接触凸部１３ａ１、及び固定コンタクトビーム１３ｂの下端子接触凸部１３ｂ１は、互いの位置をコネクタ前方側（図５の左方側）或いはコネクタ後方側（図５の右方側）にずらして配置することも可能である。また、固定コンタクトビーム１３ｂは、基本的に不動状態となるように固定されているが、信号伝送媒体（ＦＰＣ又はＦＦＣ等）Ｆの挿入を容易化する等の目的で、先端部分が弾性変位可能となるように形成することが可能であり、当該固定コンタクトビーム１３ｂの前端部分を、絶縁ハウジング１１の底面板の内壁面から僅かに浮き上がるように形成することもできる。
【００３３】
さらに、上述した各固定コンタクトビーム１３ｂの後端側部分（図５の右端側部分）には、主印刷配線基板（図示省略）上に形成された導電路に半田接続される基板接続部１３ｂ２がそれぞれ設けられている。
【００３４】
さらにまた、上述した固定コンタクトビーム１３ｂの後端側部分（図５の右端側部分）に、凹状の湾曲形状をなすようにして形成されたカム回動凹部１３ｂ３が設けられており、そのカム回動凹部１３ｂ３に受けられるようにして開閉カム部材１５が滑動自在に配置されている。一方、可動コンタクトビーム１３ａの後端側部分（図５の右端側部分）には、側面略直線状に延在する平坦面からなるカム規制端縁部（カム規制部）１３ａ３が、当該可動コンタクトビーム１３ａの下端縁部を形成するように設けられている。
【００３５】
この可動コンタクトビーム１３ａの後端側部分に形成されたカム規制端縁部（カム規制部）１３ａ３は、アクチュエータ（接続操作手段）１２に設けられた開閉カム部材１５に対して常時接触する端縁部をなすように形成されており、当該カム規制端縁部１３ａ３と、上述したカム回動凹部１３ｂ３との間に、アクチュエータ（接続操作手段）１２の回動軸上に一体的に形成された開閉カム部材１５が回動可能に挟持されている。
【００３６】
［カム部材について］
上述したアクチュエータ（接続操作手段）１２の開閉カム部材１５は、縦断面略楕円形状をなすように形成されており、楕円形状の長軸の両端に相当する位置に、一対のカム作用面１５ａ，１５ａが形成されている。それらの各カム作用面１５ａは、前述した固定コンタクトビーム１３ｂのカム回動凹部１３ｂ３にほぼ沿った湾曲側面形状を有しており、それら両カム作用面１５ａ，１５ａのうちの一方（図６及び図８の下方側部分）が、固定コンタクトビーム１３ｂのカム回動凹部１３ｂ３の内部に摺動可能となるように収容されている。
【００３７】
また、上述した両カム作用面１５ａ，１５ａのうちの他方（図６及び図８の上方側部分）は、前述したように可動コンタクトビーム１３ａの後端縁部分に略直線状に延出するカム規制端縁部（カム規制部）１３ａ３に対して、下方側から接触可能となるように配置されている。この他方側（上方側）のカム作用面１５ａは、アクチュエータ（接続操作手段）１２が「初期位置（開放位置）」（図５参照）から「作用位置（閉塞位置）」（図７参照）に向かって回動操作される際に、可動コンタクトビーム１３ａのカム規制端縁部（カム規制部）１３ａ３に対して滑動自在に接触するように配置されている。このようなカム回動凹部１３ｂ３及びカム規制端縁部（カム規制部）１３ａ３に対する開閉カム部材１５の接触配置関係によって、当該開閉カム部材１５が回動可能に支持されており、アクチュエータ１２の全体が、開閉カム部材１５の仮想回動中心１５ｄの回りに回動される構成になされている。
【００３８】
［アクチュエータについて］
このように絶縁ハウジング１１の後端部分（図５及び図７の右端部分）に回動可能に配置されたアクチュエータ（接続操作手段）１２の全体は、コネクタ長手方向に沿って細長状に延在するように形成されていて、絶縁ハウジング１１の全幅とほぼ同じ長さに渡って配置されている。このアクチュエータ１２は、上述したように開閉カム部材１５の仮想回動中心１５ｄの回りに回動されるように取り付けられているが、そのときの回動半径方向の外方側に相当する部分（図７の右端側部分）が、開閉操作部１２ａになされている。そして、その開閉操作部１２ａに対して、作業者による適宜の回動操作力が付与されることによって、アクチュエータ１２の全体が、図５のようにほぼ直立した状態の「初期位置（開放位置）」と、図７のようにコネクタ後方側に向かってほぼ水平に倒された状態の「作用位置（閉塞位置）」との間で往復回動される構成になされている。
【００３９】
このとき、開閉操作部１２ａが、上述した開閉カム部材１５と連結されている部分には、導電コンタクト１３（１４）との干渉を回避するためのスリット状貫通穴部１２ｂが形成されていて、上述したようにアクチュエータ１２が「初期位置（開放位置）」（図５参照）まで回動されたときには、そのスリット状貫通穴部１２ｂの内方に、導電コンタクト１３の可動コンタクトビーム１３ａの後端部分が入り込むようになっている。
【００４０】
そして、アクチュエータ（接続操作手段）１２の開閉操作部１２ａを、作業者が指先により「初期位置（開放位置）」（図５参照）から「作用位置（閉塞位置）」（図７参照）に向かって押し倒すようにして回動操作が行われると、上述した開閉カム部材１５の回転半径が、固定コンタクトビーム１３ｂと可動コンタクトビーム１３ａとの間において増大する方向に変化するように構成されていて、そのような開閉カム部材１５の径が増大する変化に従って、可動コンタクトビーム１３ａの後端側に設けられたカム規制端縁部１３ａ３が図示上方側に持ち上げられるように変位し、それに伴ってカム規制端縁部１３ａ３と反対側（コネクタ前端側）に設けられた上端子接触凸部１３ａ１が下方に押し下げられていくようになっている。
【００４１】
このようにしてアクチュエータ（接続操作手段）１２が最終回動位置である「作用位置（閉塞位置）」まで回動しきったときには（図７参照）、上述した可動コンタクトビーム１３ａの上端子接触凸部１３ａ１と、固定コンタクトビーム１３ｂの下端子接触凸部１３ｂ１とが、それら両者の間に挿入された信号伝送媒体（ＦＰＣ又はＦＦＣ等）Ｆに上下から圧接して信号伝送媒体Ｆの挟持が行われることとなる。そのとき、特に図１１に示されているような信号伝送媒体Ｆの配線パターン（信号伝送用及びシールド用の導電路）Ｆａに対して、上端子接触凸部１３ａ１及び下端子接触凸部１３ｂ１が圧接され、それによって電気的な接続が行われる構成になされている。
【００４２】
また、前述したようにアクチュエータ１２が、「初期位置（開放位置）」（図５参照）から後方側に押し倒すように回動されて「作用位置（閉塞位置）」（図７参照）まで移動された状態においては、当該アクチュエータ１２の開閉操作部１２ａの図示下面側部分が、主配線基板（図示省略）に対面するように近接する配置関係になされるが、そのときのアクチュエータ１２の開閉操作部１２ａの下面側部分には、主配線基板に向かって突出する保護突部１２ｃが設けられている。この保護突部１２ｃは、前述した導電コンタクト１３，１４の多極配列の方向（コネクタ長手方向）において所定の間隔をなして複数配置されており、それぞれ略四角柱状のブロック体として形成された各保護突部１２ｃが、アクチュエータ１２の回動操作に伴って一体的に回動されるように構成されている。
【００４３】
また、アクチュエータ１２に設けられた開閉操作部１２ａのコネクタ長手方向における両端部分には、中央部分の主操作部から緩やかに下降する傾斜面部１２ｄ，１２ｄが連続するように設けられている。この傾斜面部１２ｄ，１２ｄは、アクチュエータ１２の延在方向であるコネクタ長手方向の外方側に向かって下降するように形成されており、コネクタ長手方向に対して適宜の角度をなして延在するように形成されている。また、それらの両傾斜面部１２ｄ，１２ｄどうしの間部分には、アクチュエータ１２の延在方向であるコネクタ長手方向に延在する平担面部が長尺状をなすように設けられている。
【００４４】
このようにコネクタ長手方向の両端側に配置された傾斜面部１２ｄ，１２ｄは、コネクタ長手方向の中央側に設けられた平担面部の両端部から滑らかに連続するように形成されており、それら両面部どうしの境界部分に角部が形成されない構成になされている。従って、アクチュエータ１２を「初期位置（開放位置）」から「作用位置（閉塞位置）」に回動する際には、アクチュエータ１２が「初期位置（開放位置）」（図５参照）に立てられた状態における前端面（図５左側端面）である正面側の立上壁面部を作業者の指先で後方側に押圧することとなるが、前述のようにアクチュエータ１２の開閉操作部１２ａの両端部分に傾斜面部１２ｄを設けておけば、長手方向両端側の傾斜面部１２ｄが設けられた部分に対して作業者の押圧力が掛かりにくくなって、アクチュエータ１２の長手方向中央部分に対して押圧力が付加される傾向となる。
【００４５】
一方、アクチュエータ１２の長手方向両側の傾斜面部１２ｄに対して付加された押圧力は、当該傾斜面部１２ｄを構成する傾斜面に対して略直角な方向に付加されることから、アクチュエータ１２の長手方向両端側から中央側へ向かって作用することとなる。そのため、作業者の押圧力の全体としては、アクチュエータ１２の全長に対してほぼ均一に作用することとなって、従来のようにアクチュエータ１２が捻られた状態で押圧されるような事態は発生しなくなり、アクチュエータ１２の全体が略平面を維持しながら回動されることによって、当該アクチュエータ１２の回動による信号伝送媒体（ＦＰＣ又はＦＦＣ等）Ｆの挟持作用が良好に行われる。
【００４６】
［カム作用位置におけるカム脱落防止手段について］
前述したように可動コンタクトビーム１３ａは、コネクタ前後方向に沿って細長状に延在しているが、そのコネクタ延在方向において当該可動コンタクトビーム１３ａは、連結支柱ビーム１３ｃを挟んでコネクタ前方側及び後方側の両方に延在する領域を有している。そして、このような可動コンタクトビーム１３ａにおける連結支柱ビーム１３ｃを挟んで両側に延在する領域のうち、コネクタ前方側の領域に信号伝送媒体（ＦＰＣ又はＦＦＣ等）Ｆが挿入されるとともに、コネクタ後方側の領域には、上述したカム部材１５が回動可能に装着されている。
【００４７】
このカム部材１５の装着領域における可動コンタクトビーム１３ａには、その下端縁部を形成するようにしてカム規制端縁部（カム規制部）１３ａ３が略直線状をなして略水平に延在するように設けられている。当該カム規制端縁部（カム規制部）１３ａ３は、信号伝送媒体Ｆが配置されるコネクタ前方側の領域に向かって連続的に延在するように形成されている。
【００４８】
ここで、上述した可動コンタクトビーム１３ａのカム規制端縁部（カム規制部）１３ａ３の後端部分には、下方側の固定コンタクトビーム１３ｂに向かって突出するカム係止突起１３ａ２が形成されている。このカム係止突起１３ａ２は、アクチュエータ１２が「初期位置（開放位置）」にある場合において（図５及び図６参照）、アクチュエータ１２の開閉カム部材１５からやや後方に離間した位置に配置されており、信号伝送媒体Ｆの挿入方向において当該カム係止突起１３ａ２が、開閉カム部材１５と対向するように配置されている。
【００４９】
そして、アクチュエータ１２が「作用位置（閉塞位置）」に回動された場合にあっては（図７及び図８参照）、上述した開閉カム部材１５が縦長に起きた状態となり、当該縦長状に起きた開閉カム部材１５における上方側（図８の上方側）のカム作用面１５ａが、カム係止突起１３ａ２に対して近接対向するように配置される。従って、このような「作用位置（閉塞位置）」の配置関係において、アクチュエータ１２に後方側（図７の右方側）への外力が付加されて開閉カム部材１５が後方側へ位置ズレされようとすると、アクチュエータ１２のカム作用面１５ａがカム係止突起１３ａ２に当接することとなり、それによってアクチュエータ１２の後方側への脱落が防止される。
【００５０】
［カム初期位置におけるカム脱落防止手段について］
さらに、本実施形態においては、アクチュエータ１２が「初期位置（開放位置）」にある場合（図５及び図６参照）におけるアクチュエータ１２の脱落防止手段として、次のような構成が採用されている。
【００５１】
前述したようにアクチュエータ１２の回動軸の一部として設けられた開閉カム部材１５の外周面には、一対のカム作用面１５ａ，１５ａが、開閉カム部材１５の断面形状における長軸方向の両側に配置されており、アクチュエータ１２の「初期位置（開放位置）」にあっては（図５及び図６参照）、開閉カム部材１５が、コネクタ前後方向に略水平に寝かされた状態となっている。従って、その場合のカム作用面１５ａ，１５ａは、コネクタ前後方向に対面するように配置されており、上述した可動コンタクトビーム１３ａのカム規制端縁部（カム規制部）１３ａ３に対して、両カム作用面１５ａ，１５ａが非接触状態となって、開閉カム部材１５のカム機能が行われないようになっている。
【００５２】
一方、それら一対のカム作用面１５ａ，１５ａ同士の間部分に相当する位置には、カム係合面１５ｂ、カム保持面１５ｃ及び回動許容面１５ｅが、連続するように形成されている。これらのカム係合面１５ｂ、カム保持面１５ｃ及び回動許容面１５ｅは、アクチュエータ１２が「初期位置（開放位置）」にある場合（図５及び図６参照）において、開閉カム部材１５の外周縁部分の上方側部分に形成されており、アクチュエータ１２が「初期位置（開放位置）」から「作用位置（閉塞位置）」に回動される方向（以下、「初期回動操作方向」と呼ぶ。）の下流側から上流側に向かって連続的な凹凸形状をなすように配置されている。
【００５３】
そのうち、カム保持面１５ｃは、アクチュエータ１２が「初期位置（開放位置）」にある場合において（図５及び図６参照）、前述した回動の仮想中心１５ｄの真上の位置において、上方側に突出する段差面から形成されている。このカム保持面１５ｃを構成する段差面は、略水平に延在する平坦面状になされており、上述した可動コンタクトビーム１３ａの後端部分に、略直線状に延在しているカム規制端縁部（カム規制部）１３ａ３に対して、下方側から面状に接触する配置関係になされている。
【００５４】
また、そのカム保持面１５ｃに対して、前記「初期回動操作方向」の下流側に配置されているカム係合面１５ｂは、カム保持面１５ｃの後端部（図５の右端部）から略直角下方に折れ曲がって立壁状に延出する平坦面から形成されている。このような立壁状の平坦面を有するカム係合面１５ｂは、上述した可動コンタクトビーム１３ａのカム係止突起１３ａ２に対して、信号伝送媒体Ｆの挿入方向のコネクタ前方側から対向するように配置される。
【００５５】
そして、アクチュエータ１２が「初期位置（開放位置）」にある状態において、当該アクチュエータ１２に対してコネクタ後方側（図５の右方側）への外力が付加されると、まず、固定コンタクトビーム１３ｂのカム回動凹部１３ｂ３内に収容されている開閉カム部材１５のカム作用面１５ａが、コネクタ後方側に位置ズレしていき、カム回動凹部１３ｂ３の後方側に段差をなすように形成されている固定コンタクトビーム１３ｂの上縁に乗り上げようとする。すなわち、この場合の開閉カム部材１５は、後方側の斜め上方に向かって位置ズレされようとするが、そのような開閉カム部材１５の位置ズレによって、アクチュエータ１２のカム係合面１５ｂが、可動コンタクトビーム１３ａのカム係止突起１３ａ２に対して、前方側から押し上げるように圧接することとなる。その結果、開閉カム部材１５のカム係合面１５ｂに対して、カム係止突起１３ａ２が係止作用を付与することとなり、開閉カム部材１５を備えたアクチュエータ１２がコネクタ本体の後方側へ脱落する事態が防止される。
【００５６】
なお、この開閉カム部材１５のカム係合面１５ｂは、アクチュエータ１２が「作用位置（閉塞位置）」にある場合において（図７及び図８参照）、上述した固定コンタクトビーム１３ｂの上縁に対して上方側から対面する配置関係になされている。そして、アクチュエータ１２が「作用位置（閉塞位置）」を越えて過剰に回動されようとしたときには、当該開閉カム部材１５のカム係合面１５ｂが、上述した開閉操作部１２ａとともに固定コンタクトビーム１３ｂの上縁に当接し、それら両部材のストッパ機能によって、アクチュエータ１２の過回動が防止されるようになっている。
【００５７】
このように、アクチュエータ１２が「初期位置（開放位置）」にあるときに開閉カム部材１５をコネクタ外方に押し出す方向に外力等が作用しても、開閉カム部材１５がカム回動凹部１３ｂ３から外れることはなく、開閉カム部材１５のカム係合面１５ｂが可動コンタクトビーム１３ａのカム係止突起１３ａ２に当接することで係止状態となり、アクチュエータ１２の脱落が防止される。
【００５８】
特に、本実施形態では、アクチュエータ１２が外方に押しやられた場合に、まず開閉カム部材１５のカム保持面１５ｃが、可動コンタクトビーム１３ａの後端部分に設けられたカム規制端縁部（カム規制部）１３ａ３に当接することとなる。その結果、開閉カム部材１５が、カム回動凹部１３ｂ３側に押し付けられた状態が維持されることとなり、開閉カム部材１５が本来の位置に保持され、上述した開閉カム部材１５のカム係合面１５ｂとの協動によってアクチュエータ１２の脱落が一層確実に防止されるようになっている。
【００５９】
［カム初期位置におけるカム姿勢保持手段について］
さらに、本実施形態においては、アクチュエータ１２が「初期位置（開放位置）」にある場合（図５及び図６参照）におけるアクチュエータ１２の姿勢保持手段として、次のような構成が採用されている。
【００６０】
まず、前述したように開閉カム部材１５に設けられたカム保持面１５ｃは、アクチュエータ１２が「初期位置（開放位置）」にある場合において（図５及び図６参照）、開閉カム部材１５の上縁の一部を形成するように設けられていて、可動コンタクトビーム１３ａの後端部分に略直線状に延在しているカム規制端縁部１３ａ３に対して、平坦面からなるカム保持面１５ｃが、下方側から面状に圧接されるようになっている。すなわち、当該開閉カム部材１５のカム保持面１５ｃは、可動コンタクトビーム１３ａに対して面接触状態で当接することから、アクチュエータ１２の開放状態を維持しようとする姿勢保持の作用力が開閉カム部材１５に生じさせる部材となっており、それによって当該開閉カム部材１５が「初期位置（開放位置）」の姿勢に保持される。
【００６１】
ここで、上述した開閉カム部材１５のカム保持面１５ｃから、上述した「初期回動操作方向」の上流側（図６の左方側）に連続して、平坦面状の回動許容面１５ｅが、下降段差を形成するように延在している。この回動許容面１５ｅは、カム保持面１５ｃにおける「初期回動操作方向」の上流側（図６の左方側）の端部から、下方に向かって凹状に湾曲して窪むように延出した後に平坦面状をなすように延在している。この回動許容面１５ｅに対して、さらに「初期回動操作方向」の上流側（図６の左方側）には、前述した一方のカム作用面１５ａが連続するように配置されている。
【００６２】
このように平坦面状をなすように設けられた回動許容面１５ｅは、アクチュエータ１２が「初期位置（開放位置）」にある場合（図５及び図６参照）において、上述した可動コンタクトビーム１３ａのカム規制端縁部（カム規制部）１３ａ３の下方側に、略平行に離間した非接触状態で略水平に延在しており、当該回動許容面１５ｅと、可動コンタクトビーム１３ａのカム規制端縁部（カム規制部）１３ａ３との間には、細長状の隙間が形成され、その隙間を介してお互いが略平行に対向配置される関係になされている。この可動コンタクトビーム１３ａと回動許容面１５ｅとの間に形成される細長状の隙間は、カム保持面１５ｃから、コネクタ前方側（図６の左方側）に向かって、可動コンタクトビーム１３ａの延在方向（図６の左右方向）に沿って帯状に延在するように形成される。
【００６３】
このようにカム保持面１５ｃと、一方側（コネクタ前方側）のカム作用面１５ａとの間部分に形成された回動許容面１５ｅは、開閉カム部材１５が、「初期位置（開放位置）」から回動操作された場合にあっても、可動コンタクトビーム１３ａに対して接触されることはなく、図９及び図１０に示されているように、開閉カム部材１５が所定の角度θにわたって初期回動されたときに、一方側（コネクタ前方側）のカム作用面１５ａが、可動コンタクトビーム１３ａのカム規制端縁部（カム規制部）１３ａ３に接触されるようになっている。この「初期位置（開放位置）」から一方側（コネクタ前方側）のカム作用面１５ａが接触され始める回動角度θ（以下、「初期回動操作角度」と言う。）は、例えば５°〜１５°に設定されている。
【００６４】
ここで、本実施形態におけるカム保持面１５ｃと回動許容面１５ｅとは、次のような長さ関係に設定されている。すなわち、前述したように開閉カム部材１５が「初期位置（開放位置）」にある状態において、カム保持面１５ｃは、開閉カム部材１５の回動の仮想中心１５ｄの真上に配置されており、特に図６に示されているように、当該開閉カム部材１５における回動仮想中心１５ｄから、可動コンタクトビーム１３ａのカム規制端縁部（カム規制部）１３ａ３に至るまでの距離を表す線分（以下、「中心線」と呼ぶ。）に対して、カム保持面１５ｃは、対称的に延在するように形成されており、前記中心線の片側において略均等な長さ「Ｂ」を有することで、全長が「２Ｂ」になされている。
【００６５】
また、このようなカム保持面１５ｃの長さ「２Ｂ」は、当該カム保持面１５ｃ及び回動許容面１５ｅが可動コンタクトビーム１３ａのカム規制端縁部（カム規制部）１３ａ３に対向している長さ「Ａ」に対して、１／２以下の長さ（２Ｂ≦Ａ／２）となるように設定されている。
【００６６】
このような構成を有する本実施形態によれば、開閉カム部材１５が「初期位置（開放位置）」にある際には、当該開閉カム部材１５のカム保持面１５ｃが、可動コンタクトビーム１３ａに接触状態になされることから、当該開閉カム部材１５自身が「初期位置（開放位置）」に安定的に保持される。
【００６７】
特に、本実施形態においては、可動コンタクトビーム１３ａのカム規制端縁部１３ａ３が、開閉カム部材１５のカム保持面１５ｃに対応して略平面状に延在するカム規制部になされていることから、開閉カム部材１５のカム保持面１５ｃが、可動コンタクトビーム１３ａに対して安定的な接触状態になされ、開閉カム部材１５の「初期位置（開放位置）」における姿勢保持作用が確実に得られるようになっている。
【００６８】
また、その「初期位置（開放位置）」にある開閉カム部材１５が、初期回動を開始した直後にあっては、当該開閉カム部材１５のカム保持面１５ｃに連続する回動許容面１５ｅが、可動コンタクトビーム１３ａに対して非接触状態に維持されて、当該回動許容面１５ｅと、可動コンタクトビーム１３ａのカム規制端縁部（カム規制部）１３ａ３との間に隙間が形成され、その隙間分だけ回動抵抗が低減されることによって、開閉カム部材１５の初期回動操作が容易に行われる。
【００６９】
また、その際、カム保持面１５ｃが、開閉カム部材１５における回動の仮想中心１５ｄの直上にあり、かつ当該回動の仮想中心１５ｄに対して対称的に延在していることから、カム保持面１５ｃによる開閉カム部材１５の姿勢保持作用が効率的に得られるとともに、開閉カム部材１５の回動方向において略均等に得られ、上述した初期回動操作が円滑に開始されるようになっている。
【００７０】
さらに、そのような初期回動操作が容易に行われた後の開閉カム部材１５は、当該開閉カム部材１５のカム作用面１５ａが、可動コンタクトビーム１３ａに対して滑らかに接触することとなり、それによってカム機能が円滑に開始され、開閉カム部材１５の回動開始時における削れや損傷の発生のおそれが低減されるようになっている。
【００７１】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００７２】
例えば、上述した各実施形態においては、開閉カム部材１５のカム作用面１５ａが当接する可動コンタクトビーム１３ａのカム規制端縁部（カム規制部）１３ａ３を略直線状に延在するように形成しているが、その可動コンタクトビーム１３ａのカム規制端縁部（カム規制部）１３ａ３を、開閉カム部材１５のカム作用面１５ａに削れや損傷が発生しない程度に僅かに湾曲させた構成とすることも可能である。
【００７３】
また、上述した各実施形態では、電気コネクタに固定される信号伝送媒体として、フレキシブル・プリンテッド・サーキット（ＦＰＣ）、及びフレキシブル・フラット・ケーブル（ＦＦＣ）を採用しているが、その他の信号伝送用媒体等を用いた場合に対しても本発明は同様に適用することができる。
【００７４】
さらに、上述した実施形態にかかるアクチュエータは、絶縁ハウジングの後端部分に配置されたものであるが、前端側部分にアクチュエータが配置された電気コネクタや、前端側部分と後端側部分との間部分にアクチュエータが配置された電気コネクタに対しても、本発明は同様に適用することが可能である。
【００７５】
また、上述した実施形態にかかる電気コネクタには、形状が異なる導電コンタクトを用いたものであるが、同一形状の導電コンタクトを用いたものであっても本発明は同様に適用することが可能である。
【産業上の利用可能性】
【００７６】
本発明は、各種電気機器に使用する多種多様な電気コネクタに対して広く適用することが可能である。
【符号の説明】
【００７７】
１０  電気コネクタ
１１  絶縁ハウジング
１１ａ  媒体挿入口
１１ｂ  部品取付口
１２  アクチュエータ（接続操作手段）
１２ａ  開閉操作部
１２ｂ  スリット状貫通穴部
１２ｃ  保護突部
１２ｄ  傾斜面部
１３，１４  導電コンタクト（コンタクト部材）
１３ａ  可動コンタクトビーム（第２のコンタクトビーム）
１３ａ１  上端子接触凸部
１３ａ２  カム係止突起
１３ａ３  カム規制端縁部（カム規制部）
１３ｂ  固定コンタクトビーム（第１のコンタクトビーム）
１３ｂ１  下端子接触凸部
１３ｂ２  基板接続部
１３ｂ３  カム回動凹部
１３ｃ  連結支柱ビーム
１５  開閉カム部材
１５ａ  カム作用面
１５ｂ  カム係合面
１５ｃ  カム保持面
１５ｄ  回動の仮想中心
１５ｅ  回動許容面
Ｆ  信号伝送媒体（ＦＰＣ又はＦＦＣ等）
Ｆａ  配線パターン
【図１】
0006362028.tif 000002
【図２】
0006362028.tif 000003
【図３】
0006362028.tif 000004
【図４】
0006362028.tif 000005
【図５】
0006362028.tif 000006
【図６】
0006362028.tif 000007
【図７】
0006362028.tif 000008
【図８】
0006362028.tif 000009
【図９】
0006362028.tif 000010
【図１０】
0006362028.tif 000011
【図１１】
0006362028.tif 000012